(57)【要約】
【課題】　映像画面の下方に配置されたスピーカー装置において、スピーカーボックスの振動にともなう音質劣化を招くことなく、映像と音が結合したリアル感を得る。
【解決手段】　中高音周波スピーカーボックス３０および当該ボックス３０に取り付けられた中高音周波スピーカー３２と、中高音周波スピーカーボックス３０と結合した低音周波スピーカーボックス１０および当該ボックス１０に取り付けられた低音周波スピーカー１２とを備え、スクリーンと視聴者の間、かつ、スクリーンの下方に設置されるスピーカー装置において、中高音周波スピーカー３２をスクリーンに対向するように配置し、低音周波スピーカー１２を視聴者に対向するように配置し、低音周波スピーカーボックス１０のうち低音周波スピーカー１２と反対側の面に、低音周波スピーカーボックス１０内の音を視聴者の反対側に向けて放出する風洞１３〜１５を形成する。
【選択図】　　　　図２
0003100196.tif 000002
【実用新案登録請求の範囲】
【請求項１】
第１スピーカーボックスと、
　前記第１スピーカーボックスの開口部に取り付けられ、第１振動板を振動させて中高音域の音を発生させる第１スピーカーと、
　前記第１スピーカーボックスと結合した第２スピーカーボックスと、
　前記第２スピーカーボックスの開口部に取り付けられ、第２振動板を振動させて前記第１スピーカーとは異なる音域の音を発生させる第２スピーカーとを備え、
　映像画面と視聴者の間、かつ、前記映像画面の下方に設置されるスピーカー装置において、
　前記第１スピーカーは、前記第１振動板が前記映像画面に対向するように配置され、
　前記第２スピーカーは、前記第２振動板が視聴者に対向するように配置され、
　前記第２スピーカーボックスのうち前記第２スピーカーと反対側の面には、前記第２スピーカーボックス内の音を視聴者の反対側に向けて放出する第２放出穴が形成されていることを特徴とするスピーカー装置。
【請求項２】
前記第１スピーカーボックスおよび前記第２スピーカーボックスの少なくとも一方に結合された第３スピーカーボックスと、
　前記第３スピーカーボックスの開口部に取り付けられ、第３振動板を振動させて前記第１および第２スピーカーとは異なる音域の音を発生させる第３スピーカーとを備え、
　前記第３スピーカーは、前記第３振動板が視聴者に対向するように配置され、
　前記第３スピーカーボックスのうち前記第３スピーカーと反対側の面には、前記第３スピーカーボックス内の音を視聴者の反対側に向けて放出する第３放出穴が形成されていることを特徴とする請求項１に記載のスピーカー装置。
【請求項３】
前記第２スピーカーに、低音域の音を発生するスピーカーを採用し、
　前記第１スピーカーボックスを前記第２スピーカーボックスの上に配置したことを特徴とする請求項１または２に記載のスピーカー装置。
【請求項４】
前記第３スピーカーに、中低音域および中音域のいずれか一方の音を発生するスピーカーを採用し、前記第３スピーカーを、前記第１スピーカーの左右両側に配置したことを特徴とする請求項３に記載のスピーカー装置。
【考案の詳細な説明】
【技術分野】
【０００１】
　本考案は、映像画面と視聴者の間、かつ、映像画面の下方に設置されるスピーカー装置に関するものである。
【背景技術】
【０００２】
　従来、ホームシアター（家庭用映画上映）装置等のサラウンド音響システムに採用されているように、映像画面の左右両横に配置されたメインスピーカーに加え、映画の台詞を担当するセンタースピーカー（中間設置スピーカー）を左右のメインスピーカーの間に設けたサラウンド音響システムが知られている。このようなセンタースピーカーは、視聴者の視界に入らないようにするために映像画面の下方に配置され、かつ、視聴者に向けて配置されるのが一般的である。
【考案の開示】
【考案が解決しようとする課題】
【０００３】
　しかしながら、映像画面の下方に配置されたセンタースピーカーを、単純に視聴者に向けて配置しただけでは、スピーカーの音が映像の下方から聴こえてしまうので、あたかも映像画面の中から音が発せられたかのように聴かせることができず、映像と音が結合したリアル感を得ることは困難となる。
【０００４】
　なお、スピーカーボックスをスタンド等に取り付けてスピーカーを映像画面に近づけることで、上記リアル感の向上を図ったものが従来より知られているが、この場合にはスピーカーボックスを床に直置きできないため、スピーカーボックスが振動しやすくなってしまい、音質の劣化を招いてしまう。
【０００５】
　上記点に鑑み、本考案は、映像画面の下方に配置されたスピーカー装置において、スピーカーボックスの振動にともなう音質劣化を招くことなく、映像と音が結合したリアル感を得ることを目的とする。
【課題を解決するための手段】
【０００６】
　上記目的を達成するために、請求項１に記載の考案では、第１スピーカーボックスと、第１スピーカーボックスの開口部に取り付けられ、第１振動板を振動させて中高音域の音を発生させる第１スピーカーと、第１スピーカーボックスと結合した第２スピーカーボックスと、第２スピーカーボックスの開口部に取り付けられ、第２振動板を振動させて第１スピーカーとは異なる音域の音を発生させる第２スピーカーとを備え、映像画面と視聴者の間、かつ、映像画面の下方に設置されるスピーカー装置において、
　第１スピーカーを、第１振動板が映像画面に対向するように配置し、第２スピーカーを、第２振動板が視聴者に対向するように配置し、第２スピーカーボックスのうち第２スピーカーと反対側の面に、第２スピーカーボックス内の音を視聴者の反対側に向けて放出する第２放出穴を形成したことを特徴とする。
【０００７】
　また、請求項２に記載の考案では、第１スピーカーボックスおよび第２スピーカーボックスの少なくとも一方に結合された第３スピーカーボックスと、第３スピーカーボックスの開口部に取り付けられ、第３振動板を振動させて第１および第２スピーカーとは異なる音域の音を発生させる第３スピーカーとを備え、
　第３スピーカーを、第３振動板が視聴者に対向するように配置し、第３スピーカーボックスのうち第３スピーカーと反対側の面に、第３スピーカーボックス内の音を視聴者の反対側に向けて放出する第３放出穴を形成したことを特徴とする。
【０００８】
　また、請求項３に記載の考案では、第２スピーカーに、低音域の音を発生するスピーカーを採用し、第１スピーカーボックスを第２スピーカーボックスの上に配置したことを特徴とする。
【０００９】
　また、請求項４に記載の考案では、第３スピーカーに、中低音域および中音域のいずれか一方の音を発生するスピーカーを採用し、第３スピーカーを、第１スピーカーの左右両側に配置したことを特徴とする。
【考案の効果】
【００１０】
　請求項１に記載の考案によれば、第１スピーカーにて発生した中高音域の音は、映像画面に向けて進み、映像画面にて視聴者に向けて反射されることとなるので、音があたかも映像画面の中から発せられたかのように聴かせることができ、映像と音が結合したリアル感を得ることができる。
【００１１】
　また、請求項１に記載の考案によれば、中高音域の音は、他の音域の音を牽引して混合する効果を有しているため、放出穴から放出した音は、中高音域の音に牽引されて混合し、映像画面に向かって進むこととなる。よって、視聴者に対向配置された第２振動板の背面に生じた音を、映像画面にて反射させる音に利用できるので、専用のスピーカーを設けることなく、映像画面にて反射させる中高音域の音に、他の音域の音を混合させることができ、ひいては、映像画面にて反射させる音の音域を広げることができる。
【００１２】
　しかも、請求項１に記載の考案によれば、スピーカーボックスをスタンド等に取り付けることを廃止して、第１および第２スピーカーボックスのうち少なくとも一方を床に直置きしつつ、上述のように音があたかも映像画面の中から発せられたかのように聴かせることができるので、スピーカーボックスの振動にともなう音質劣化を招くことなく、映像と音が結合したリアル感を得ることができる。
【００１３】
　請求項２に記載の考案によれば、第２スピーカーの音域の音に加え、第３スピーカーの音域の音を中高音域の音に混合させることができるので、映像画面にて反射させる音の音域をより一層広げることができる。
【００１４】
　ところで、スピーカーの音域が低音であるほどスピーカーボックスの振動が生じやすくなる。これに対し、請求項３に記載の考案によれば、低音域の音を発生する第２スピーカーのスピーカーボックスが床に直置きされることとなるので、スピーカーボックスの振動にともなう音質劣化を効果的に抑制できる。
【００１５】
　請求項４に記載の考案によれば、映像画面に向かって進む音のうち、中音域の音の下方には低音域の音が位置し、中音域の音の左右両側には中低音域および中音域のいずれか一方の音が位置することとなるので、中高音域の音が有する上記牽引混合効果を、効果的に発揮することができる。
【考案を実施するための最良の形態】
【００１６】
　以下、本発明の一実施形態を図に基づいて説明する。
【００１７】
　本実施形態は、本考案のスピーカー装置を、ホームシアター（家庭用映画上映）装置のサラウンド音響システムを構成する、センタースピーカー装置に適用したものである。ホームシアター装置は、映像システムおよびサラウンド音響システムから構成されており、映像システムは、映画等の映像光をスクリーンに投射することで、スクリーンを映像画面として機能させている。
【００１８】
　サラウンド音響システムは、スクリーンの左右両横に配置されたメインスピーカー装置と、両メインスピーカーの間に配置されたセンタースピーカー装置とから構成されており、センタースピーカー装置は、主に映画の台詞を出力するようになっている。また、センタースピーカー装置は、スクリーンと視聴者の間、かつ、スクリーンの下方に設置されている。
【００１９】
　図１は、センタースピーカー装置１の組み立て立体見取り図であり、図２はその背面図
である。これらの図１、図２に示すように、センタースピーカー装置1は、低音周波スピーカーボックス（第２スピーカーボックス）１０、中音周波スピーカーボックス（第３スピーカーボックス）２０、中高音周波スピーカーボックス（第１スピーカーボックス）３０、および高音周波スピーカーボックス４０を備えている。これらのスピーカーボックス１０〜４０は一体的に結合されている。
【００２０】
　低音周波スピーカーボックス１０は直方体形状であり、床に直置きされている。そして、低音周波スピーカーボックス１０の視聴者側の面に形成された開口部１１には、低音周波スピーカー（第２スピーカー）１２が取り付けられている。低音周波スピーカー１２は、振動板１２ａを振動させて低音域の周波数（４０Ｈｚ〜１６０Ｈｚ）の音を発生させるものである。なお、低音周波スピーカー１２は、振動板１２ａが視聴者に対向するように配置されている。
【００２１】
　また、低音周波スピーカーボックス１０のうち視聴者側と反対側の面（背面）には、低音周波スピーカーボックス１０内の音を背面に向けて放出する風洞（第２放出穴）１３、１４、１５が形成されており、低音周波スピーカーボックス１０のうち視聴者側の面（正面）には、低音周波スピーカーボックス１０内の音を視聴者に向けて放出する風洞１６が形成されている。
【００２２】
　風洞１３〜１５は複数形成されており、風洞１３は、低音周波スピーカーボックス１０の背面のうち、低音周波スピーカー１２に対応する中心点に位置している。また、風洞１４は、低音周波スピーカーボックス１０の背面のうち上部両側に位置し、風洞１５は、低音周波スピーカーボックス１０の背面のうち下部に位置している。
【００２３】
　中音周波スピーカーボックス２０は、視聴者に向けて延びる円筒形状であり、低音周波スピーカーボックス１０の左右両側に１つずつ配置されている。そして、中音周波スピーカーボックス２０の視聴者側の面に形成された開口部２１には、中音周波スピーカー（第３スピーカー）２２が取り付けられている。中音周波スピーカー２２は、振動板２２ａを振動させて中音域の周波数（３２０Ｈｚ〜２．６ｋＨｚ）の音を発生させるものである。なお、中音周波スピーカー２２は、振動板２２ａが視聴者に対向するように配置されている。
【００２４】
　また、中音周波スピーカーボックス２０の背面には、中音周波スピーカーボックス２０内の音を背面に向けて放出する中心風口（第３放出穴）２３が形成されており、当該中心風口２３は、中音周波スピーカーボックス２０の背面の略前面に亘って開口している。また、中音周波スピーカーボックス２０の側面には、低音周波スピーカーボックス１０内の音をスピーカーボックス２０の径方向に放出する風口２４が、周方向に複数並べて形成されている。
【００２５】
　中高音周波スピーカーボックス３０は、背面が上に向かって傾斜した略直方体の形状であり、低音周波スピーカーボックス１０の上に配置されている。当該背面はスクリーンに対向するように適度な角度を有している。そして、この背面に形成された開口部３１には、中高音周波スピーカー（第１スピーカー）３２が取り付けられている。中高音周波スピーカー３２は、振動板３２ａを振動させて中高音域の周波数（２．６ｋＨｚ〜５ｋＨｚ）の音を発生させるものである。なお、中高音周波スピーカー３２は、振動板３２ａがスクリーンに対向するように配置されている。
【００２６】
　高音周波スピーカーボックス４０は、正面が上に向かって傾斜した略直方体の形状であり、低音周波スピーカーボックス１０の上、かつ、中高音周波スピーカーボックス３０の正面側に配置されている。そして、高音周波スピーカーボックス４０の背面に形成された開口部４１には、高音周波スピーカー４２が取り付けられている。高音周波スピーカー４２は、振動板４２ａを振動させて高音域の周波数（５ｋＨｚ〜１０ｋＨｚ）の音を発生させるものである。なお、高音周波スピーカー４２は、振動板４２ａが視聴者の上方に向かうように配置されている。
【００２７】
　次に、以上の構成による本実施形態の作動を簡単に説明すると、各スピーカー１２、２２、３２、４２のコイルに所定の電気信号に応じた電圧を印加すると、各振動板１２ａ、２２ａ、３２ａ、４２ａが振動し、映像に関連した音声が出力される。
【００２８】
　具体的には、低音周波スピーカー１２、中音周波スピーカー２１、高音周波スピーカー４２から出力される音声および風洞１６から放出される音声は、視聴者に向かって進み、直接聴かれることとなる。一方、中高音周波スピーカー３１から出力される音声は、スクリーンに向けて進み、スクリーンにて視聴者に向けて反射される。また、風洞１３、１４、１５および中心風口２３から放出される音声は、一旦はスクリーンの下方に向かって進むものの、その後、中高音域の音に牽引されて混合し、スクリーンの正面に向かって進む。
【００２９】
　以上により、本実施形態によれば、スピーカー装置１の背面から音声が出力、放出され、当該音声は、スクリーンの正面にて視聴者に向けて反射されることとなるので、音声があたかもスクリーンの映像の中から発せられたかのように聴かせることができる。よって、映像と音声が結合したリアル感を得ることができ、臨場感を向上できる。しかも、このようにスクリーンで反射させて視聴者に聴かせる音声は、直接聴かせる音声に比べて圧迫感を少なくでき、不快感を低減できる。
【００３０】
　また、本実施形態によれば、スクリーンで反射させて視聴者に聴かせる音声は、低音域、中音域および中高音域が混合した音声となるので、スクリーンの映像の中から発せられたかのように聴かせる音声の音域を広げることができる。
【００３１】
　また、本実施形態によれば、低音周波スピーカーボックス１０を床に直置きできるので、低音周波スピーカーボックス１０の振動にともなう音質劣化を抑制できる。すなわち、ボリュームを大きくしても音が濁ることがなく、低周波の音の響きを効果的に伸びるようにできる。また、上述のように床に直置きできるので、スピーカーボックス１０を取り付けるスタンドや棚等の手段を不要にできるとともに、スピーカー装置１の設置位置調整作業を容易にできる。
【００３２】
　また、映像システムにテレビを採用した場合には、スピーカー装置１をテレビから離れた位置に設置しながらも、音声が映像の中から発せられたかのように聴かせることができるので、各スピーカー１２、２２、３２、４２の磁場の干渉をテレビが受けてしまうことを抑制できる。
【００３３】
（他の実施形態）
　上記実施形態では、映像画面に向かう中高音域の音に混合させる音に、低音域および中音域の音を採用しているが、本考案ではこのように混合させる音は、低音域および中音域に限定されるものではない。
【００３４】
　また、上記実施形態のスピーカー装置１では、中高音周波スピーカーボックス３０の他に、低音周波スピーカーボックス１０、中音周波スピーカーボックス２０、および高音周波スピーカーボックス４０を備えているが、本考案では、中高音周波スピーカーボックス３０の他に、中高音周波以外の周波数の音を出すスピーカーボックスを少なくとも１つ備えていればよい。
【００３５】
　また、上記実施形態では、映像画面にスクリーンを採用しているが、本考案の映像画面はこのようなスクリーンに限定されるものではなく、例えば、ブラウン管ディスプレイ、液晶ディスプレイ、プラズマディスプレイ等を映像画面に採用してもよい。
【００３６】
　また、上記実施形態では、スクリーンの左右両横に配置されたメインスピーカー装置の間に配置されたセンタースピーカー装置１に本考案のスピーカー装置を適用させているが、本考案はこのようなセンタースピーカー装置への適用に限られるものではなく、スピーカー装置１を単独で用いる場合に適用させてもよい。
【産業上の利用可能性】
【００３７】
　本考案のスピーカー装置は、映像画面の左右両横に配置されたメインスピーカー装置の間に配置された、センタースピーカー装置に用いて好適なものである。
【図面の簡単な説明】
【００３８】
【図１】本考案の組み立て立体見取り図である。
【図２】本考案の組み立て立体背面図である。
【符号の説明】
【００３９】
１０…低音周波スピーカーボックス（第２スピーカーボックス）、１２…低音周波スピーカー（第２スピーカー）、１３〜１５…風洞（放出口）、３０…中高音周波スピーカーボックス（第１スピーカーボックス）、３２…中高音周波スピーカー（第１スピーカー）
【図１】
0003100196.tif 000003
【図２】
0003100196.tif 000004